(57)【特許請求の範囲】
【請求項１】
上下に伸延する支点軸を軸支し筐体側に固定される筐体側固定部と、
前記支点軸に隣接して平行に配設した調整軸を軸支する一対の扉側軸受部と前面に前記扉側軸受部を突設し後面で扉に固定される扉側ベース部とからなる扉側固定部と、
前記支点軸と前記調整軸とを軸通し前記筐体側固定部と前記扉側固定部を連結するリンク部と、
前記扉側固定部に対して前記リンク部を任意の角度に調整自在に略固定するリンク調整部と、で構成し、
前記リンク調整部は、前記扉側ベース部と前記リンク部との間隙に先端先鋭の楔形状でブロック状の移動ブロックを先端が内側となるようにして水平方向に進退自在に配設したことを特徴とするヒンジ。
【請求項２】
前記リンク調整部は、前記移動ブロックと摺動自在に係合するベース側摺動係合部を前記扉側ベース部に形成し、前記移動ブロックと摺動自在に係合するリンク側摺動係合部を前記リンク部に形成し、前記ベース側摺動係合部と摺動自在に係合する後摺動係合部と前記リンク側摺動係合部と摺動自在に係合する前摺動係合部と、を前記移動ブロックに形成したことを特徴とする請求項１に記載のヒンジ。
【請求項３】
前記リンク側摺動係合部は、前記リンク部に対して鉛直軸線回りに回動自在に形成したことを特徴とする請求項２に記載のヒンジ。
【請求項４】
前記扉側固定部は、前記移動ブロックの進退操作を自在とする進退操作部と前記移動ブロックの移動を規制する進退規制部と、を前記扉側固定部の水平方向の外端部側から操作自在に形成したことを特徴とする請求項１乃至３の何れか１項に記載のヒンジ。
【請求項５】
請求項１乃至４に記載のヒンジを開き戸に用いた扉機構。
【発明の詳細な説明】
【技術分野】
【０００１】
本発明は、密閉性が必要でありながら調整が難しい大型で重量のある扉に設置して施工時の調整を容易にすると共に開閉時の操作性を向上させることができるヒンジ及び扉機構に関する。
【背景技術】
【０００２】
従来、大雨による洪水や高潮、津波等の災害時においては建物内外の開口部である出入口や通路が浸水すると建物内に水が浸入し、居住空間や公共施設等であればその場での生活や活動が不可能となり、店舗や倉庫であれば陳列商品や在庫が水浸しとなり多大な被害を受けることになる。
【０００３】
また、近年では気候変動による短時間での集中豪雨が地域を問わず多発する傾向にあり、特に、インフラの主軸となる発電所やその中継拠点に設置され電気の供給を制御する電気設備や機械等を納めた電気室や機械室等の重要設備が浸水することは電気の供給が遮断されることに直結するため日常生活に多大な影響を及ぼすだけでなく、その後の復旧工事にも大きな障害となってしまい水害への防災対策は急務の課題となっている。
【０００４】
また、多くの場合、このような電気室や機械室等には設備等を搬入・搬出可能とする大型の扉が必要となり、水密性等の密閉性を考慮して二軸型のヒンジを用いて可能な限り扉を扉枠に均等圧で付勢できるよう検討されている。
【０００５】
このような状況において、例えば、特許文献１に係る二軸蝶番は、対をなす取付板片１，２の相対向する縁部にそれぞれ軸受部３，４を備え、その夫々に回転軸５，６を軸承させて並行させると共に、該両回転軸５，６を連結部材７の両側縁に備える軸受孔８，９に回動自由に挿通し、該連結部材７を介して上記対をなす取付板片相互を連結せしめる一方、上記連結部材７には一側縁から一方の取付板片に向けて並行状に突片１２を延設し、該突片１２と取付板片２との間にバネ１３を介挿して構成されている。
【０００６】
すなわち、扉２０の開閉操作時（密閉時を除く）にはバネ１３の付勢力により一方の回動軸６が機能せず他方の回動軸５のみの一軸だけで操作でき、密閉時には扉枠のシール材２３に扉２０が当接した後、更に扉２０を押し込むことでバネ１３の付勢力に抗して一方の回動軸６が回動して扉２０をシール材２３に強固に押し付けることができるものである。
【先行技術文献】
【特許文献】
【０００７】
【特許文献１】実開昭５８−０１１０６６号公報
【発明の概要】
【発明が解決しようとする課題】
【０００８】
確かに、特許文献１に係る二軸蝶番は、小型で軽い扉２０であれば開閉操作時に一方の回動軸６が機能せず一軸だけで操作できる点で優れている。
【０００９】
しかしながら、非常に重い大型扉の場合、開閉操作時に一方の回動軸６が機能しない程度に保つには取付板片１，２に与える荷重と摩擦力に応じてバネ定数が大きく強固なバネ１３を用いなければならない。
【００１０】
この場合、密閉時にバネ１３の付勢力に抗して扉２０を押し込む際、一方の回動軸６も回動させて二軸状態とすることは極めて困難であり、複数の蝶番が必要な非常に重い大型扉を扉枠に均等圧となるよう人手で正確に閉蓋することは不可能である。
【００１１】
また、バネ１３が扉の開閉方向と同じ水平前後方向に配設されていることから、非常に重い大型扉を閉操作すると、バネ１３には予定していない引張方向への多大な負荷を与えてしまうため耐久性にも問題を有している。
【００１２】
本発明は、以上のような事情に鑑みてなされたものであり、密閉性が必要でありながら調整が難しい大型で重量のある扉に設置することで耐久性を高め、施工時の調整を容易にすると共に開閉時の操作性を向上させることができるヒンジ及び扉機構を提供することにある。
【課題を解決するための手段】
【００１３】
以上のような目的を達成するために、本発明は以下のようなものを提供する。
【００１４】
請求項１に係る発明では、上下に伸延する支点軸を軸支し筐体側に固定される筐体側固定部と、前記支点軸に隣接して平行に配設した調整軸を軸支する一対の扉側軸受部と前面に前記扉側軸受部を突設し後面で扉に固定される扉側ベース部とからなる扉側固定部と、前記支点軸と前記調整軸とを軸通し前記筐体側固定部と前記扉側固定部を連結するリンク部と、前記扉側固定部に対して前記リンク部を任意の角度に調整自在に略固定するリンク調整部と、で構成し、前記リンク調整部は、前記扉側ベース部と前記リンク部との間隙に先端先鋭の楔形状でブロック状の移動ブロックを先端が内側となるようにして水平方向に進退自在に配設したことを特徴とするヒンジを提供せんとする。
【００１５】
請求項２に係る発明では、前記リンク調整部は、前記移動ブロックと摺動自在に係合するベース側摺動係合部を前記扉側ベース部に形成し、前記移動ブロックと摺動自在に係合するリンク側摺動係合部を前記リンク部に形成し、前記ベース側摺動係合部と摺動自在に係合する後摺動係合部と前記リンク側摺動係合部と摺動自在に係合する前摺動係合部と、を前記移動ブロックに形成したことを特徴とする請求項１に記載のヒンジを提供せんとする。
【００１６】
請求項３に係る発明では、前記リンク側摺動係合部は、前記リンク部に対して鉛直軸線回りに回動自在に形成したことを特徴とする請求項２に記載のヒンジを提供せんとする。
【００１７】
請求項４に係る発明では、前記扉側固定部は、前記移動ブロックの進退操作を自在とする進退操作部と前記移動ブロックの移動を規制する進退規制部と、を前記扉側固定部の水平方向の外端部側から操作自在に形成したことを特徴とする請求項１乃至３の何れか１項に記載のヒンジを提供せんとする。
【００１８】
請求項５に係る発明では、請求項１乃至４に記載のヒンジを開き戸に用いた扉機構を提供せんとする。
【発明の効果】
【００１９】
請求項１記載の発明によれば、上下に伸延する支点軸を軸支し筐体側に固定される筐体側固定部と、支点軸に隣接して平行に配設した調整軸を軸支する一対の扉側軸受部と前面に扉側軸受部を突設し後面で扉に固定される扉側ベース部とからなる扉側固定部と、支点軸と調整軸とを軸通し筐体側固定部と扉側固定部を連結するリンク部と、扉側固定部に対してリンク部を任意の角度に調整自在に略固定するリンク調整部と、で構成し、リンク調整部は、扉側ベース部とリンク部との間隙に先端先鋭の楔形状でブロック状の移動ブロックを先端が内側となるようにして水平方向に進退自在に配設したことより、重い大型扉であっても移動ブロックの水平移動だけで扉枠に対して容易に適切な角度に扉を調整でき、しかも、扉の開閉操作時に負荷が掛かる移動ブロックは楔型のブロック状であり付与される負荷は楔が有する角度によって分散されるため高い耐久性を維持することができる。
【００２０】
また、施工時に調整を行なうだけで、使用時には支点軸の一軸のみで可動するヒンジとなるため優れた操作性を発揮することができる。
【００２１】
請求項２記載の発明によれば、リンク調整部は、移動ブロックと摺動自在に係合するベース側摺動係合部を扉側ベース部に形成し、移動ブロックと摺動自在に係合するリンク側摺動係合部をリンク部に形成し、ベース側摺動係合部と摺動自在に係合する後摺動係合部とリンク側摺動係合部と摺動自在に係合する前摺動係合部と、を移動ブロックに形成したことより、重い大型扉であっても移動ブロックを滑らかに水平移動させることができるので施工時の調整を容易に行なうことができる。
【００２２】
請求項３記載の発明によれば、リンク側摺動係合部は、リンク部に対して鉛直軸線回りに回動自在に形成したことより、移動ブロックの水平移動時にリンク部を滑らかに追従させることができる。
【００２３】
請求項４記載の発明によれば、扉側固定部は、移動ブロックの進退操作を自在とする進退操作部と移動ブロックの移動を規制する進退規制部と、を扉側固定部の水平方向の外端部側から操作自在に形成したことより、取り扱いが容易となるばかりでなく、進退操作部と進退規制部の何れにも扉の開閉操作時の負荷が直接付与されないため高い耐久性を維持することができる。
【００２４】
請求項５記載の発明によれば、上述のヒンジを用いた開き戸の扉機構により、重い大型扉であっても一軸の扉として使用できるので操作性が良く、更に、扉枠に対して容易に適切な角度に扉を調整でき、しかも、高い耐久性を維持することができる。
【図面の簡単な説明】
【００２５】
【図１】本実施形態に係るヒンジを備えた扉機構の一例を示す正面図である。
【図２】本実施形態に係るヒンジの前方斜視図である。
【図３】本実施形態に係るヒンジの一部を分解した分解前方斜視図である。
【図４】本実施形態に係るヒンジの一部の構成を分解した分解前方斜視図である。
【図５】本実施形態に係るヒンジの一部の構成を分解した分解後方斜視図である。
【図６】（ａ）は本実施形態に係るヒンジの一部を透視状態とした正面図で、（ｂ）はヒンジの一部を透視状態とした右側面図である。
【図７】（ａ）〜（ｃ）は本実施形態に係るヒンジのリンク部の角度を各々可変させた状態を示す平面図である。
【発明を実施するための形態】
【００２６】
本発明に係るヒンジの要旨は、上下に伸延する支点軸を軸支し筐体側に固定される筐体側固定部と、支点軸に隣接して平行に配設した調整軸を軸支する一対の扉側軸受部と前面に扉側軸受部を突設し後面で扉に固定される扉側ベース部とからなる扉側固定部と、支点軸と調整軸とを軸通し筐体側固定部と扉側固定部を連結するリンク部と、扉側固定部に対してリンク部を任意の角度に調整自在に略固定するリンク調整部と、で構成し、リンク調整部は、扉側ベース部とリンク部との間隙に先端先鋭の楔形状でブロック状の移動ブロックを先端が内側となるようにして水平方向に進退自在に配設したことを特徴とする。すなわち、密閉性が必要でありながら調整が難しい大型で重量のある扉に設置することで耐久性を高め、施工時の調整を容易にすると共に開閉時の操作性を向上させることができるヒンジ及び扉機構の提供を図ろうとするものである。
【００２７】
また、本説明中における前方とは、例えば図１に記載のヒンジ１を基準として紙面側を示し、後方とは裏面側を示し、右方や左方も紙面に対して右側が右方、左側が左方を示し、また、上方や下方も紙面に対して上側が上方、下側が下方を示すものとして説明している。
【００２８】
以下、本発明に係るヒンジ１及び扉機構Ｄの一実施形態について図面を参照しながら説明する。また、本説明中において左右同一又は左右対称の構造や部品については、原則として同一の符号を付し、左右何れか一方のみを説明して、他方については説明を適宜省略する。
【００２９】
本発明の実施形態に係るヒンジ１は、図１〜図３に示すように、上下に伸延する支点軸４を軸支し筐体Ｂ側に固定される筐体側固定部３と、支点軸４に隣接して平行に配設した調整軸１７を軸支する一対の扉側軸受部１９と前面に扉側軸受部１９を突設し後面で扉Ｔに固定される扉側ベース部２３とからなる扉側固定部１６と、支点軸４と調整軸１７とを軸通し筐体側固定部３と扉側固定部１６を連結するリンク部３９と、扉側固定部１６に対してリンク部３９を任意の角度に調整自在に略固定するリンク調整部６２と、で構成し、リンク調整部６２は、扉側ベース部２３とリンク部３９との間隙に先端先鋭の楔形状でブロック状の移動ブロック６３を先端が内側となるようにして水平方向に進退自在に配設している。
【００３０】
また、リンク調整部６２は、図３、図４に示すように、移動ブロック６３と摺動自在に係合するベース側摺動係合部３０を扉側ベース部２３に形成し、移動ブロック６３と摺動自在に係合するリンク側摺動係合部４４をリンク部３９に形成し、ベース側摺動係合部３０と摺動自在に係合する後摺動係合部６９とリンク側摺動係合部４４と摺動自在に係合する前摺動係合部７０と、を移動ブロック６３に形成している。
【００３１】
また、リンク側摺動係合部４４は、リンク部３９に対して鉛直軸線回りに回動自在に形成し、扉側固定部１６は、移動ブロック６３の進退操作を自在とする進退操作部３７と移動ブロック６３の移動を規制する進退規制部３８と、を扉側固定部１６の水平方向の外端部側から操作自在に形成している。
【００３２】
上述のように構成したヒンジ１は、扉機構Ｄとして、例えば、図１に示すような開き戸に採用される。
【００３３】
具体的には、建物を構成する壁等の筐体Ｂの一部に開口を設け、当該開口を閉蓋する扉Ｔの表面Ｔｓと筐体Ｂの表面Ｂｓに本実施形態に係るヒンジ１を設置して互いを連結することでヒンジ１を起点として開口を開閉自在に構成する。
【００３４】
そして、本実施形態に係るヒンジ１は、図７（ａ）〜（ｃ）に示すようにリンク調整部６２によって扉側固定部１６に対してリンク部３９を任意の角度に調整自在に略固定することで扉Ｔが密閉する最適な押込み量となるよう初期調整した後は、支点軸４だけを有効な軸として一軸のヒンジ１として使用することができる。
【００３５】
すなわち、扉側ベース部２３とリンク部３９との間隙に先端先鋭の楔形状でブロック状の移動ブロック６３を先端が内側となるように配設し、進退操作部３７により移動ブロック６３を水平方向に進退自在に移動させ、進退規制部３８により移動ブロック６３の移動を規制することで扉側固定部１６に対してリンク部３９を任意の角度に調整し略固定することを可能としている。
【００３６】
次に、本実施形態に係るヒンジ１及び扉機構Ｄについて具体的に詳述する。
【００３７】
筐体側固定部３は、図３、図６（ａ）に示すように、上下に伸延する丸棒状の支点軸４を軸支する一対の筐体側軸受部６と、前面に筐体側軸受部６を突設し後面で筐体Ｂに固定される筐体側ベース部１０とからなる。
【００３８】
支点軸４は、上下端縁近傍の周面に軸止用の第一雌ネジ孔５を形成し、筐体側軸受部６に形成した第一ボルト孔７から図示しないボルトで螺着固定され筐体側軸受部６と一体に構成される。
【００３９】
筐体側軸受部６は、平面視正方形で前方の隣接する２つの角部を面取りして平面視六角形の所定厚のブロック状に形成し、中央部に支点軸４を軸支する支点軸孔８を穿設すると共に、前側面に支点軸４を軸止するための上述した第一ボルト孔７を穿設している。
【００４０】
なお、第一ボルト孔７と対向する後側面には筐体側軸受部６を筐体側ベース部１０に突設するための第二雌ネジ孔９を水平方向に隣接して２箇所ずつ形成し、筐体側ベース部１０に形成した連通する第二ボルト孔１１から図示しないボルトで螺着固定され筐体側ベース部１０と一体に構成される。
【００４１】
筐体側ベース部１０は、長方形の板状に形成し、２つの筐体側軸受部６を前面に上下に突設するための座ぐりを形成した第二ボルト孔１１を両短辺側近傍に水平方向に隣接して各２箇所穿設すると共に、後面で筐体Ｂに固定するための第三ボルト孔１２を第二ボルト孔１１よりも更に両短辺の端部側となる位置に水平方向に隣接して各２箇所穿設しボルト１３によって筐体Ｂに固定される。
【００４２】
扉側固定部１６は、図３、図６（ａ）、（ｂ）に示すように、上下に伸延する丸棒状の調整軸１７を軸支する一対の扉側軸受部１９と、前面に扉側軸受部１９を突設し後面で扉Ｔに固定される扉側ベース部２３と、後述するリンク調整部６２の一部をなし、移動ブロック６３の進退操作を自在とする進退操作部３７と移動ブロック６３の移動を規制する進退規制部３８を備えた操作規制固定部３１と、からなる。
【００４３】
調整軸１７は、上述した支点軸４と同様であり、上下端縁近傍の周面に軸止用の第三雌ネジ孔１８を形成し、扉側軸受部１９に形成した第四ボルト孔２０から図示しないボルトで螺着固定され扉側軸受部１９と一体に構成される。
【００４４】
扉側軸受部１９も上述した筐体側軸受部６と同様であり、平面視正方形で前方の隣接する２つの角部を面取りして平面視六角形の所定厚のブロック状に形成し、中央部に調整軸１７を軸支する調整軸孔２１を穿設すると共に、前側面に調整軸１７を軸止するための上述した第四ボルト孔２０を穿設している。
【００４５】
なお、第四ボルト孔２０と対向する後側面には扉側軸受部１９を扉側ベース部２３に突設するための第四雌ネジ孔２２を水平方向に隣接して２箇所ずつ形成し、扉側ベース部２３に形成した座ぐりを有する第五ボルト孔２４から図示しないボルトで螺着固定され扉側ベース部２３と一体に構成される。
【００４６】
扉側ベース部２３は、図３〜図５に示すように、板状で先端先鋭側を右方とする正面視六角形のホームベース型に形成して配設し、左方側には２つの扉側軸受部１９を前面に上下に突設するための第五ボルト孔２４を上下端縁近傍に水平方向に隣接して各２箇所穿設すると共に、後面で扉Ｔに固定するための第六ボルト孔２５を第五ボルト孔２４よりも更に端部側となる位置に水平方向に隣接して各２箇所穿設しボルト２６によって扉Ｔに固定される。
【００４７】
また、扉側ベース部２３の先端先鋭な右端面には、リンク調整部６２の一部をなす操作規制固定部３１を螺着固定するための第五雌ネジ孔２７を鉛直方向に隣接して２箇所形成している。
【００４８】
また、扉側ベース部２３の右方側には、後述するリンク部３９を任意の角度に調整自在に略固定するリンク調整部６２の一部をなすベース側摺動係合部３０を形成している。
【００４９】
具体的には、ベース側摺動係合部３０は、扉側ベース部２３の右端部の中央から扉側ベース部２３の略中央にかけて水平方向に伸延する前面開口の断面視Ｔ字状の溝を形成し、移動ブロック６３に形成した後摺動係合部６９と係合して移動ブロック６３がベース側摺動係合部３０に沿って水平方向に摺動自在に移動するよう形成している。
【００５０】
また、操作規制固定部３１は、図３、図６（ａ）、図７（ａ）等に示すように、矩形板状の固定片３２と、固定片３２を扉側ベース部２３に螺着するための２本のボルト３６と、２本の移動ボルト３７ａと１本の規制ボルト３７ｂとで構成する進退操作部３７と、２本の移動ボルト３７ａに螺合する各１個のナット３８ａと規制ボルト３７ｂの先端部３８ｂとで構成する進退規制部３８と、で構成している。
【００５１】
固定片３２は、扉側ベース部２３に形成した２つの第五雌ネジ孔２７にボルト３６によって螺着固定されるよう一方の長辺側近傍に鉛直方向に隣接して２つの第七ボルト孔３３を穿設すると共に、他方の長辺側近傍には移動ボルト３７ａを挿通するための第八ボルト孔３４を鉛直方向に隣接して２箇所穿設し、第八ボルト孔３４の間隙には規制ボルト３７ｂを螺入するための第六雌ネジ孔３５を形成している。
【００５２】
なお、移動ボルト３７ａに螺合するナット３８ａは固定片３２の外側から移動ボルト３７ａに配設される。
【００５３】
リンク部３９は、支点軸４と調整軸１７とを軸通し筐体側固定部３と扉側固定部１６を連結するものであり、図２〜図５に示すように、右端部側を縮径した横長の平面視略楕円状で正面視略長方形状に形成した所定厚のブロック体で、左端部近傍に上下に貫通する支点軸挿通孔４０を穿設し、中央部からやや右寄りに上下に貫通する調整軸挿通孔４１を穿設すると共に、支点軸挿通孔４０と調整軸挿通孔４１の各上下開口には薄板でドーナツ状のリングスペーサー４２を配設している。
【００５４】
また、縮径した右端部側にはリンク調整部６２の一部をなすリンク側摺動係合部４４を形成している。
【００５５】
具体的には、リンク側摺動係合部４４は、リンク部３９の右端部側の後方側（扉側）を上下方から切削して形成した水平な上下２箇所の凹状部４５と、凹状部４５と直交する垂直な後端面４８の略中央部に鉛直方向に軸線をなす円弧の一部からなる曲率で湾曲凹状に形成した湾曲凹部４７と、湾曲凹部４７の内側面に沿って鉛直方向の軸線回りに水平回動する回動駒５０と、湾曲凹部４７に回動駒５０を保持すると共に回動駒５０を滑らかに回動させるための略矩形状の２枚の止板５６とで構成している。
【００５６】
上下２箇所の凹状部４５には止板５６を螺着固定するための第七雌ネジ孔４６を鉛直方向に隣接して各３箇所形成し、各止板５６は前方の２つの角部を面取りし第七雌ネジ孔４６と連通する第九ボルト孔５７を各３箇所形成すると共に、回動駒５０を適度に遊嵌する回動係合凸部５８を形成している。
【００５７】
回動係合凸部５８は、止板５６の一側面において第九ボルト孔５７と干渉しない端縁中央部から内側に凸状の曲率をなす略半円状に膨出し、回動係合凸部５８を後方としつつ２枚の止板５６の回動係合凸部５８が対峙するようにして後述する回動駒５０の半円凹状部５２を挟持する形で上下の凹状部４５にボルト５９により固定される。
【００５８】
回動駒５０は、湾曲凹部４７の曲率と略同じ曲率で略同高さの湾曲凸状に形成した湾曲凸部５１を一方に形成し、他方には移動ブロック６３に形成した前摺動係合部７０と係合する断面視台形状のリンク側摺動係合凸部５３を台形の上底を基端として湾曲凸部５１と連設し下底が後方となるよう突設している。
【００５９】
また、湾曲凸部５１は、略半円状の上下面の内側を略半円状に切削して凹状とした半円凹状部５２を形成しており、半円凹状部５２は、止板５６に形成した回動係合凸部５８の曲率と略同曲率で、回動係合凸部５８の高さと略同じ深さで形成している。
【００６０】
なお、湾曲凹部４７と湾曲凸部５１と半円凹状部５２、及び組付けた際の回動係合凸部５８はいずれも同心となるよう形成している。
【００６１】
従って、上述した部材からなるリンク側摺動係合部４４は、回動駒５０の上下２箇所の半円凹状部５２に２枚の止板５６の各回動係合凸部５８が上下方から各々挿入されリンク部３９からの回動駒５０の脱落防止が図られると共に、回動駒５０の湾曲凸部５１が湾曲凹部４７の内側面に沿って鉛直方向の軸線回りに水平回動可能になると同時に、回動係合凸部５８の湾曲した側面に沿って半円凹状部５２の湾曲した内側面も鉛直方向の軸線回りに水平回動することでリンク部３９と回動駒５０との間の遊び量を最小とした滑らかな回動が可能となる。
【００６２】
次に、移動ブロック６３は、図４、図５に示すように、平面視で左側に頂角６４をなす略直角三角形状の楔型で所定厚のブロック状に形成し、平面視で隣辺側６５の側面には後摺動係合部６９を形成し、平面視で斜辺側６６の側面には前摺動係合部７０を形成し、平面視で対辺側６７の側面には操作規制固定部３１の移動ボルト３７ａを螺入するための第八雌ネジ孔６８を鉛直方向に隣接して２箇所形成している。
【００６３】
後摺動係合部６９は、扉側固定部１６の扉側ベース部２３に形成した断面視Ｔ字状の溝からなるベース側摺動係合部３０と係合するようベース側摺動係合部３０の溝よりも若干だけ小さい断面視Ｔ字状とし、隣辺側６５の側面において対辺側６７から頂角６４に渡り水平方向に伸延して形成している。
【００６４】
このように形成することで移動ブロック６３がベース側摺動係合部３０に沿って水平方向に摺動自在に移動できるようになる。
【００６５】
また、前摺動係合部７０は、リンク部３９の回動駒５０に形成した断面視台形状のリンク側摺動係合凸部５３が係合するようリンク側摺動係合凸部５３よりも若干だけ大きい断面視台形状の溝とし、斜辺側６６の側面において対辺側６７から頂角６４に渡り水平方向に伸延して形成している。
【００６６】
以上の通り構成した本実施形態に係るヒンジ１は、図７（ａ）に示すように、扉（扉側固定部１６の側）を奥側に押し込むように調整したければ、まず、図６（ａ）に示す規制ボルト３７ｂ（進退操作部３７）の先端部３８ｂ（進退規制部３８）が固定片３２近傍となるように規制ボルト３７ｂを右方側に移動させ、次に、２本の移動ボルト３７ａ（進退操作部３７）のナット３８ａ（進退規制部３８）を緩めて移動ブロック６３を自由な状態とする。
【００６７】
次に、扉を奥側に押し込むことで移動ブロック６３が右側に移動するのでその状態で規制ボルト３７ｂの先端部３８ｂが移動ブロックの右端面に当接するよう螺入し、そして、固定片３２に対してナット３８ａを強く螺着することで移動ブロック６３の右方への移動は規制ボルト３７ｂの先端部３８ｂで阻止され、左方への移動はナット３８ａによって阻止され扉側固定部１６に対してリンク部３９が任意の角度で略固定される。
【００６８】
また、図７（ｂ）、（ｃ）に示すように、扉を中立な位置や手前側に位置するよう調整したければ上述した方法に倣って調整すればよい。
【００６９】
なお、図７（ａ）〜（ｃ）に示すように、移動ブロック６３とリンク部３９との間隙ｔは、回動駒５０が回動する範囲と略等しく、すなわち、扉側固定部１６に対するリンク部３９の角度を自在に可変させるには、この間隙ｔが無ければ移動ブロック６３を水平方向に滑らかに摺動させることはできない。
【００７０】
以上、説明したように本実施形態に係るヒンジ１及び扉機構Ｄを構成することで、上下に伸延する支点軸４を軸支し筐体Ｂ側に固定される筐体側固定部３と、支点軸４に隣接して平行に配設した調整軸１７を軸支する一対の扉側軸受部１９と前面に扉側軸受部１９を突設し後面で扉Ｔに固定される扉側ベース部２３とからなる扉側固定部１６と、支点軸４と調整軸１７とを軸通し筐体側固定部３と扉側固定部１６を連結するリンク部３９と、扉側固定部１６に対してリンク部３９を任意の角度に調整自在に略固定するリンク調整部６２と、で構成し、リンク調整部６２は、扉側ベース部２３とリンク部３９との間隙に先端先鋭の楔形状でブロック状の移動ブロック６３を先端が内側となるようにして水平方向に進退自在に配設したことより、重い大型扉であっても移動ブロック６３の水平移動だけで扉枠に対して容易に適切な角度に扉Ｔを調整でき、しかも、扉Ｔの開閉操作時に負荷が掛かる移動ブロック６３は楔型のブロック状であり付与される負荷は楔が有する角度によって分散されるため高い耐久性を維持することができる。
【００７１】
また、施工時に調整を行なうだけで、使用時には支点軸４の一軸のみで可動するヒンジ１となるため優れた操作性を発揮することができる。
【００７２】
また、リンク調整部６２は、移動ブロック６３と摺動自在に係合するベース側摺動係合部３０を扉側ベース部２３に形成し、移動ブロック６３と摺動自在に係合するリンク側摺動係合部４４をリンク部３９に形成し、ベース側摺動係合部３０と摺動自在に係合する後摺動係合部６９とリンク側摺動係合部４４と摺動自在に係合する前摺動係合部７０と、を移動ブロック６３に形成したことより、重い大型扉であっても移動ブロック６３を滑らかに水平移動させることができるので施工時の調整を容易に行なうことができる。
【００７３】
また、リンク側摺動係合部４４は、リンク部３９に対して鉛直軸線回りに回動自在に形成したことより、移動ブロック６３の水平移動時にリンク部３９を滑らかに追従させることができる。
【００７４】
また、扉側固定部１６は、移動ブロック６３の進退操作を自在とする進退操作部３７と移動ブロック６３の移動を規制する進退規制部３８と、を扉側固定部１６の水平方向の外端部側から操作自在に形成したことより、取り扱いが容易となるばかりでなく、進退操作部３７と進退規制部３８の何れにも扉の開閉操作時の負荷が直接付与されないため高い耐久性を維持することができる。
【００７５】
また、上述のヒンジ１を用いた開き戸の扉機構により、重い大型扉であっても一軸の扉として使用できるので操作性が良く、更に、扉枠に対して容易に適切な角度に扉を調整でき、しかも、高い耐久性を維持することができる。
【００７６】
以上、本発明の本実施形態に係るヒンジ１及び扉機構Ｄの好ましい実施形態について説明したが、本発明は特定の実施形態に限定されるものではなく、種々の変形・変更が可能である。
【符号の説明】
【００７７】
Ｂ  筐体
Ｄ  扉機構
Ｔ  扉
１  ヒンジ
３  筐体側固定部
４  支点軸
１６  扉側固定部
１７  調整軸
１９  扉側軸受部
２３  扉側ベース部
３０  ベース側摺動係合部
３７  進退操作部
３８  進退規制部
３９  リンク部
４４  リンク側摺動係合部
６２  リンク調整部
６３  移動ブロック
６９  後摺動係合部
７０  前摺動係合部
【要約】
【課題】密閉性が必要でありながら調整が難しい重い大型扉に設置しても高耐久であり、施工時の調整も容易で、しかも、高い操作性を備えたヒンジ及び扉機構を提供する。
【解決手段】本発明に係るヒンジ１は、上下に伸延する支点軸４を軸支し筐体Ｂ側に固定される筐体側固定部３と、支点軸４に隣接して平行に配設した調整軸１７を軸支する一対の扉側軸受部１９と前面に扉側軸受部１９を突設し後面で扉Ｔに固定される扉側ベース部２３とからなる扉側固定部１６と、支点軸４と調整軸１７とを軸通し筐体側固定部３と扉側固定部１６を連結するリンク部３９と、扉側固定部１６に対してリンク部３９を任意の角度に調整自在に略固定するリンク調整部６２と、で構成し、リンク調整部６２は、扉側ベース部２３とリンク部３９との間隙に先端先鋭の楔形状でブロック状の移動ブロック６３を先端が内側となるようにして水平方向に進退自在に配設したことを特徴とする。
【選択図】図２【図１】
0006924464.tif 000002
【図２】
0006924464.tif 000003
【図３】
0006924464.tif 000004
【図４】
0006924464.tif 000005
【図５】
0006924464.tif 000006
【図６】
0006924464.tif 000007
【図７】
0006924464.tif 000008